(57)【要約】【課題】別体の保持部材を必要とせず、摩擦係数の低いシール部材がファンカバーに確実に保持される電動送風機およびこれを備える電気掃除機を提供する。【解決手段】電動送風機は、電動部、ファン、ファンカバー、シール部材および保持部材を備える。ファンは、通電により回転力を発生する電動部によって回転駆動される。ファンカバーは、電動部と反対側の端部に設けられている空気吸入口を有し、ファンを収容する。シール部材は、ファンカバーの空気吸入口の外周側にファンと対向して筒状に設けられている。シール部材は、外周壁に内周側へ窪んだ凹部を有し、ファンに接することによりファンとファンカバーとの間を経由する空気の流れを遮断する。保持部材は、シール部材の外周側に設けられ、塗布された後に硬化してファンカバーのファン側の面に接着するとともに、一部が凹部へくい込んでシール部材をファンカバーに保持する。【選択図】図５
2012077681.tif 000002
【特許請求の範囲】
【請求項１】
通電により回転力を発生する電動部と、
前記電動部によって回転駆動されるファンと、
前記電動部と反対側の端部に設けられている空気吸入口を有し、前記ファンを収容するファンカバーと、
前記ファンカバーの前記空気吸入口の外周側において前記ファンと対向して筒状に設けられ、その外周壁に内周側へ窪んだ凹部を有し、前記ファンに接することにより前記ファンの前記ファンカバー側の端部と前記ファンカバーとの間を経由する空気の流れを遮断するシール部材と、
前記シール部材の外周側に設けられ、液体状または半固形状で塗布された後に硬化することにより前記ファンカバーの前記ファン側の面に接着するとともに一部が前記凹部へくい込んで前記シール部材を前記ファンカバーに保持する保持部材と、
を備える電動送風機。
【請求項２】
前記凹部は、前記外周壁を周方向に連続する環状溝である請求項１記載の電動送風機。
【請求項３】
前記凹部は、前記外周壁を周方向に連続する環状溝と、前記環状溝から前記シール部材の軸方向へ伸びる切欠溝とを有する請求項１記載の電動送風機。
【請求項４】
前記シール部材は、フッ素含有樹脂で形成されていることを特徴とする請求項１、２または３記載の電動送風機。
【請求項５】
請求項１から４のいずれか一項記載の電動送風機を備えることを特徴とする電気掃除機。
【発明の詳細な説明】
【技術分野】
【０００１】
本発明の実施形態は、電動送風機およびこれを備える電気掃除機に関する。
【背景技術】
【０００２】
電動送風機は、電動部で駆動されるファンによってファンカバーの空気吸入口から吸入した空気を空気吐出口から吐出する。このとき、ファンの回転によって形成された空気の流れの一部は、ファンとファンカバーとの間の隙間を経由して再び空気吸入口へ流入するおそれがある。この場合、ファンとファンカバーとの間には空気吐出口へ導かれずに循環する空気の流れが形成され、送風効率の低下を招く。
【０００３】
そこで、従来の電動送風機は、ファンの電動部とは反対側の端部と対向するファンカバーにシール部材を設け、ファンとファンカバーとの間から空気吸入口へ向かう空気の流れを遮断している。このようなシール部材は、回転するファンと常に接するため、低い摩擦係数と高い耐久性とが要求される。しかしながら、摩擦係数の低い材料は、一般に接着剤との接着性が低く、ファンカバーへの保持が難しい。また、接着性の低いシール部材をファンカバーに保持するためにファンカバーと別体の保持部材を用いると、部品点数の増加や構造の複雑化を招く。さらに、別体の保持部材は、ファンカバーやファンの種類ごとに専用品が必要となる。
【先行技術文献】
【特許文献】
【０００４】
【特許文献１】特開平７−２０８３９０号公報
【発明の概要】
【発明が解決しようとする課題】
【０００５】
そこで、別体の保持部材を必要とせず、摩擦係数の低いシール部材がファンカバーに確実に保持される電動送風機およびこれを備える電気掃除機を提供する。
【課題を解決するための手段】
【０００６】
本実施形態の電動送風機によれば、電動部、ファン、ファンカバー、シール部材および保持部材を備える。電動部は、通電により回転力を発生する。ファンは、前記電動部によって回転駆動される。ファンカバーは、前記電動部と反対側の端部に設けられている空気吸入口を有し、前記ファンを収容する。シール部材は、前記ファンカバーの前記空気吸入口の外周側において前記ファンと対向して筒状に設けられている。そして、シール部材は、その外周壁に内周側へ窪んだ凹部を有し、前記ファンに接することにより前記ファンの前記ファンカバー側の端部と前記ファンカバーとの間を経由する空気の流れを遮断する。保持部材は、前記シール部材の外周側に設けられ、液体状または半固形状で塗布された後に硬化することにより前記ファンカバーの前記ファン側の面に接着する。これとともに、保持部材は、一部が前記凹部へくい込んで前記シール部材を前記ファンカバーに保持する。
【図面の簡単な説明】
【０００７】
【図１】第１実施形態による電動送風機を適用した電気掃除機の外観を示す概略図
【図２】第１実施形態による電動送風機を適用した電気掃除機を示す概略断面図
【図３】第１実施形態による電動送風機を示す概略断面図
【図４】第１実施形態による電動送風機を示す概略分解斜視図
【図５】第１実施形態による電動送風機の要部を拡大した断面図
【図６】第１実施形態による電動送風機のシール部材を周方向に展開し、外周側から見た模式図
【図７】図６のVII−VII線における断面図
【図８】第１実施形態による電動送風機のシール部材の変形例を示す図７相当図
【図９】第１実施形態による電動送風機のシール部材の変形例を示す図７相当図
【図１０】第２実施形態による電動送風機のシール部材を示す図６相当図
【図１１】第３実施形態による電動送風機のシール部材を示す図６相当図
【発明を実施するための形態】
【０００８】
以下、複数の実施形態による電動送風機を適用した電気掃除機を図面に基づいて説明する。なお、複数の実施形態において実質的に同一の構成部位には同一の符号を付し、説明を省略する。
（第１実施形態）
第１実施形態による電動送風機を搭載した電気掃除機を図１および図２に示す。図１に示すように、電気掃除機１０は、電気掃除機本体１１、電動送風機１２、ホース１３、手元操作管１４、延長管１５および吸込口部材１６を備えている。電気掃除機本体１１は、図２に示すように内側に集塵室１７および収容室１８を形成している。以下、電気掃除機本体１１の集塵室１７側を前方とし、収容室１８側を後方とする。集塵室１７は、例えば紙パックなどの集塵フィルタ１９を着脱可能に収容している。電動送風機１２は、集塵室１７に空気を吸入するための吸い込み負圧を生成する。電気掃除機本体１１は、図１および図２に示すように後方側の左右に一対の車輪２１と、前方側の旋回輪２２とを有している。
【０００９】
ホース１３は、一方の端部側に接続部２３を有し、他方の端部に手元操作管１４が接続されている。ホース１３の接続部２３は、電気掃除機本体１１の接続口２４に着脱可能に接続している。手元操作管１４は、各種の操作スイッチが設けられている手元操作部２５を有している。手元操作管１４は、ホース１３と反対側の端部に延長管１５が着脱可能に接続している。吸込口部材１６は、延長管１５の先端すなわち延長管１５の手元操作管１４と反対側に端部に着脱可能に接続している。吸込口部材１６は、底面が開口した図示しない吸込室を形成している。この吸込口部材１６の吸込室は、延長管１５およびホース１３を経由して電気掃除機本体１１の集塵室１７と連通している。
【００１０】
電気掃除機本体１１は、下ケース２６、上ケース２７および集塵室カバー２８などを有している。下ケース２６は、上方すなわち車輪２１と反対側の端部が開放している。上ケース２７は、下ケース２６の後方側の上方を覆い、下ケース２６とともに電動送風機１２を収容する収容室１８を形成している。集塵室カバー２８は、上ケース２７の前方側において下ケース２６の上方を覆っている。集塵室カバー２８は、図示しないヒンジを中心に回転する。これにより、集塵室カバー２８は、下ケース２６との間に形成する集塵室１７を開閉可能である。
【００１１】
電気掃除機本体１１に形成されている収容室１８は、大きく電動機室３１、回路室３２および排気室３３に区画されている。回路室３２は、電動機室３１の上方に設けられている。排気室３３は、電動機室３１の後方側に設けられている。電動機室３１と回路室３２との間は、区画壁３４によって区画されている。回路室３２と排気室３３とは、連通している。電動送風機１２は、カバー３５に覆われている。電動送風機１２から排出された空気は、カバー３５の穴３６および区画壁３４の穴３７を経由して排気室３３へ排出される。排気室３３へ排出された空気は、電気掃除機本体１１の後端に形成されている複数の排気口３８から外部へ排出される。回路室３２を区画する区画壁３４には、回路基板３９が設けられている。回路基板３９は、電動送風機１２を制御するための図示しない制御回路などが設けられている。
【００１２】
次に、電動送風機１２について詳細に説明する。
電動送風機１２は、図３および図４に示すように電動部４１、ファン４２およびファンカバー４３などを備えている。電動部４１は、胴体ケース４４およびモータ本体４５を有している。胴体ケース４４は、概ね円筒状に形成され、この内側にモータ本体４５を収容している。胴体ケース４４は、軸方向の一方の端部である前方側の端部に開口部４６を形成している。また、胴体ケース４４は、他方の端部である後方側の端部が後板部４７によって塞がれている。この後板部４７は、中央部に、さらに後方へ向けて突出し、内側に軸受部材４８を収容するモータヘッド部４９を有している。胴体ケース４４は、円筒状の側壁において後方側の端部近傍に、吹出口５１を形成している。吹出口５１は、胴体ケース４４の径方向において概ね両端部に一対設けられている。
【００１３】
胴体ケース４４は、前方側の端部にブリッジ部材５２を有している。ブリッジ部材５２は、中心から径方向に伸びる板状に形成され、開口部４６の一部を覆っている。ブリッジ部材５２は、径方向の両端部において、例えばねじなどの締結部材５３によって胴体ケース４４に保持されている。ブリッジ部材５２は、その中心側に軸受部材５４を保持する保持部５５を有している。例えばベアリングなどの軸受部材５４は、ブリッジ部材５２の保持部５５に圧入により固定されている。開口部４６のうちブリッジ部材５２で覆われていない部分は、ファン４２から排出された空気が流れる通風口を形成している。
【００１４】
モータ本体４５は、固定子であるフィールド５７、回転子であるアーマチャ５８、およびブラシ部５９を有している。フィールド５７は、筒状に形成され、胴体ケース４４に固定されている。アーマチャ５８は、フィールド５７と同心に、フィールド５７の内周側に配置されている。アーマチャ５８の軸心に一致するロータ軸６１は、端部がそれぞれ軸受部材４８および軸受部材５４に支持されている。これにより、胴体ケース４４と同軸上のアーマチャ５８は、フィールド５７の内周側において回転可能である。ブラシ部５９は、胴体ケース４４の径方向に一対固定されており、胴体ケース４４の内周面からアーマチャ５８側へ突出している。ブラシ部５９は、カーボンブラシ６２およびブラシ保持器６３を有している。カーボンブラシ６２は、アーマチャ５８に設けられている整流子６４と摺動する。ブラシ保持器６３は、このカーボンブラシ６２を保持している。これにより、カーボンブラシ６２は、ブラシ保持器６３によってアーマチャ５８の整流子６４側へ押し付けられる。その結果、カーボンブラシ６２は整流子６４に接し、カーボンブラシ６２と整流子６４とは互いに電気的に導通する。
【００１５】
電動送風機１２は、ディフューザ６６を備えている。ディフューザ６６は、ブリッジ部材５２のモータ本体４５と反対側すなわち前方側に固定されている。具体的には、ディフューザ６６は、胴体ケース４４の開口部４６を塞ぐようにブリッジ部材５２に固定されている。ファン４２は、このディフューザ６６のさらに前方側に設けられている。ファン４２は、例えばアルミニウム合金などの軽量かつ耐熱性の高い材料で形成されている。ファン４２は、円板状に形成されている下板７１、下板７１と軸方向へ所定の間隔で対向する上板７２、および下板７１と上板７２との間に設けられている複数のファン翼７３を有する。
【００１６】
下板７１は、中央部分に取付部７４を有している。モータ本体４５のロータ軸６１は、この取付部７４においてファン４２と一体に接続される。これにより、ファン４２は、モータ本体４５のロータ軸６１とともに回転する。下板７１は、渦巻き形状に沿って延びる図示しないスリットを形成している。上板７２は、下板７１とほぼ同一の外径の円板状であり、中心部分に突出筒部７５を有している。突出筒部７５は、上板７２から前方側へ湾曲しつつ突出するラッパ形状に形成されている。この上板７２の突出筒部７５は、開口しており、内周側に空気吸入口７６を形成している。上板７２は、下板７１と同様に、下板７１と対称形状であり渦巻き形状に沿って延びる図示しないスリットを形成している。
【００１７】
ファン翼７３は、細長い壁状に形成され、下板７１と上板７２との間に挟まれている。このファン翼７３は、下板７１側の端部が下板７１の図示しないスリットに挿入され、上板７２側の端部が上板７２の図示しないスリットに挿入されている。そして、この下板７１および上板７２の各スリットに挿入されたファン翼７３は、例えばカシメなどによって下板７１および上板７２と一体に接続されている。これにより、ファン翼７３は、下板７１および上板７２に形成されているスリットに沿ってファン４２の中心からファン４２の外縁側へ渦巻き状に設けられる。その結果、対向する下板７１と上板７２との間に形成される空間は、ファン翼７３によって渦巻き状の複数の吸気通路７７に区画される。
【００１８】
ディフューザ６６は、円板状の円板部８１を有している。円板部８１は、その外縁に、中心へ向けて三角形状に切り欠かれた複数の切欠部８２を周方向へ等間隔に有している。これにより、ディフューザ６６の円板部８１は、外縁が鋸刃状に形成されている。また、ディフューザ６６は、中心部に取付部８３を有している。ブリッジ部材５２の保持部５５は、この取付部８３の内側に固定されている。
【００１９】
円板部８１は、ファン４２側の面に、その面と垂直な軸方向へ立ち上がっている複数の上流整流板８４を有している。上流整流板８４は、円板部８１のファン４２側の面から前方側へ延び、円板部８１の径方向において外周側から中心へ向かう円弧壁状に形成されている。この上流整流板８４は、ファン翼７３の渦巻き方向と逆方向の渦巻き状に設けられている。上流整流板８４は、径方向において外周側の端部が円板部８１において切欠部８２で切り欠かれていない最も外周側に位置し、内周側の端部がファン４２の外周側の端部よりも外側に位置している。これにより、円板部８１と上流整流板８４との間には、ファン４２を収容する空間であるファン収容部８５が形成される。また、複数の上流整流板８４は、円板部８１の外周側ほど間隔が拡大している。そのため、複数の上流整流板８４は、相互の間に、外周に向かうにつれて拡大し、外周側において切欠部８２に接続する案内風路８６を形成している。
【００２０】
円板部８１は、ファン４２とは反対側の面に、その面と垂直な軸方向へ立ち上がっている複数の下流整流板８７を有している。下流整流板８７は、円板部８１のファン４２とは反対側の面から後方側へ延び、円板部８１の径方向において外周側から中心へ向かう円弧壁状に形成されている。この下流整流板８７は、上流整流板８４の渦巻き方向と逆方向の渦巻き状に設けられている。これら複数の下流整流板８７は、円板部８１の外周側ほど間隔が拡大している。そのため、複数の下流整流板８７は、相互の間に、外周に向かうにつれて拡大する流過風路８８を形成している。
【００２１】
ファンカバー４３は、筒状に形成され、ファン４２およびディフューザ６６を覆って胴体ケース４４の外側に固定されている。ファンカバー４３は、椀底部９１および筒部９２を有している。椀底部９１は、ファン４２の前方側の端部を覆い、中心部にファン４２の空気吸入口７６に対向する空気吸入口９３を有する円環状に形成されている。筒部９２は、この椀底部９１の外周側の端部から後方側へ筒状に延びている。これにより、ファンカバー４３は、筒部９２の一部が胴体ケース４４の外周側に被せられる。
【００２２】
電動送風機１２は、図５に示すようにシール部材９５および保持部材９６を備えている。シール部材９５は、ファンカバー４３の空気吸入口９３の外周側に設けられている。すなわち、シール部材９５は、ファンカバー４３が形成する空気吸入口９３の外周側を周方向に包囲している。また、シール部材９５は、ファン４２の突出筒部７５と対向している。これにより、ファン４２の突出筒部７５は、その前方側の端部がシール部材９５にくい込んでいる。ファン４２は、突出筒部７５がシール部材９５にややくい込んだ状態で回転する。保持部材９６は、シール部材９５の外周側に設けられ、このシール部材９５をファンカバー４３に保持する。シール部材９５は、空気吸入口９３の外周側を包囲する円環状に形成され、図５および図６に示すように外周壁９７から内周側へ窪む凹部９８を有している。凹部９８は、シール部材９５の周方向へ所定の間隔で複数設けられている。
【００２３】
ところで、ファン４２の回転によって空気吸入口７６から吸入された空気は、ファン４２の回転にともなう遠心力によって、ファン翼７３に案内されつつ吸気通路７７内を通ってファン４２の外周側へ導かれる。そして、ファン４２の外周側に導かれた空気は、ディフューザ６６の上流整流板８４および下流整流板８７で整流された後、開口部４６のうちブリッジ部材５２で塞がれていない部分を経由して胴体ケース４４の内側へ流入する。そして、胴体ケース４４へ流入した空気は、胴体ケース４４に収容されたモータ本体４５の外周側を経由して吹出口５１から電動送風機１２の外部へ排出される。このとき、ファン４２の突出筒部７５とファンカバー４３との間に空気の通路が形成されると、ファン４２の回転によってファン４２の外周側に導かれた空気の一部は、この突出筒部７５とファンカバー４３との間を経由して再び空気吸入口７６へ流入する。そうすると、ファンカバー４３の内側には、ファン４２の周囲を循環する空気の流れが形成される。その結果、電動送風機１２は、効率の低下を招くことになる。
【００２４】
そこで、本実施形態では、ファンカバー４３に突出筒部７５の先端がくい込むシール部材９５を設けることにより、ファン４２の突出筒部７５とファンカバー４３との間が密閉され、ファン４２の周囲を循環する空気の流れは遮断される。一方、突出筒部７５の先端はシール部材９５にくい込んだ状態で回転するため、シール部材９５は摩擦係数の低い材料で形成することが望ましい。また、突出筒部７５の先端は寸法的な誤差により真円とは限らない。そのため、シール部材９５は、突出筒部７５の寸法的な誤差を吸収するような柔軟な材料で形成することが望ましい。本実施形態では、シール部材９５は、例えばゴム状または発泡状の柔軟なフッ素含有樹脂で形成されている。シール部材９５は、フッ素含有樹脂で形成することにより、ファン４２との摩擦に対する耐熱性が高く、かつ摩擦係数が小さいのでファン４２の回転を妨げることがない。また、シール部材９５は、柔軟な材料で形成することにより、突出筒部７５の寸法的な誤差を自身の変形によって吸収する。その結果、シール部材９５は、ファン４２の回転に追従しつつ変形し、ファン４２の突出筒部７５を包み込んで空気の流れを遮断する。
【００２５】
このように摩擦係数の小さな材料で形成されているシール部材９５は、接着剤との相性が低い。特にポリテトラフルオロエチレンなどのフッ素含有樹脂でシール部材９５を形成する場合、接着剤によるシール部材９５とファンカバー４３との十分な接着は困難である。シール部材９５がファンカバー４３から剥がれると、シール部材９５とファン４２とが不規則に接触し、シール部材９５の摩耗を招き、シール部材９５が屑を生じたり剥がれてしまうおそれがある。シール部材９５から生じた屑や剥がれたシール部材９５は、突出筒部７５の内周側からファン４２の内側へ進入して各部に堆積し、電動送風機１２の不具合の原因となるおそれがある。
【００２６】
そこで、本実施形態の保持部材９６は、このシール部材９５をファンカバー４３に保持している。具体的には、保持部材９６は、例えばエポキシ樹脂などで形成され、硬化前の液体状または半固形状の流動性のある状態でシール部材９５の外周側に塗布される。そして、保持部材９６は、塗布された後に硬化することにより、ファンカバー４３のファン４２側の面に接着するとともに、一部がシール部材９５の凹部９８へくい込む。これにより、保持部材９６は、ファンカバー４３に接着により固定されるとともに、凹部９８へくい込んで硬化することによりシール部材９５を保持する。すなわち、ファンカバー４３は、例えば金属や接着性の高い樹脂で形成されているため、保持部材９６とファンカバー４３とは固く接着される。一方、凹部９８へくい込んだ保持部材９６は、硬化することによって鈎状にシール部材９５と噛み合い、シール部材９５がファン４２側へ剥がれ落ちるのを規制する。その結果、シール部材９５は、ファンカバー４３からの脱落が防止される。この場合、保持部材９６は、シール部材９５の外周側に周方向へ連続して設けてもよく、凹部９８に対応する位置に周方向へ所定の間隔で設けてもよい。
【００２７】
凹部９８は、図７に示すように一方の端部がシール部材９５の外周壁９７に開口し、シール部材９５の径方向において途中まで窪んでいる。この場合、液体状または半固形状で塗布された硬化前の保持部材９６は、自身の流動性によって凹部９８へ流入する。そして、保持部材９６が硬化することにより、保持部材９６はシール部材９５側が凹部９８へくい込んで噛み合った状態となる。ここで、凹部９８は、図８に示すようにシール部材９５の外周壁９７に形成している開口よりも内周側の径が大きくてもよい。これにより、凹部９８の内側で硬化した保持部材９６は、シール部材９５と固く噛み合い、シール部材９５の凹部９８から抜けにくくなる。その結果、シール部材９５は、保持部材９６によって固く保持され、ファンカバー４３からの脱落がより確実に防止される。
【００２８】
また、シール部材９５は、図９に示すように凹部９８の内周側の端部とシール部材９５の内周壁９９とを接続する空気穴１０１を有していてもよい。この空気穴１０１は、凹部９８よりも内径を十分に小さく設定する。シール部材９５に空気穴１０１を設けることにより、凹部９８の空気は空気穴１０１を経由してシール部材９５の外部へ排出される。そのため、硬化前の保持部材９６を塗布したとき、凹部９８に存在する空気は凹部９８へ進入する保持部材９６によって押し出される。その結果、硬化前の保持部材９６は、凹部９８の隅々まで十分に充填される。この空気穴１０１の内径を空気が抜ける程度に十分小さくすることにより、充填された保持部材９６がシール部材９５の内周壁９９側へしみ出すことはない。このように、凹部９８の形状は、保持部材９６との保持力を確保するために種々変更することができる。
【００２９】
以上説明した第１実施形態では、保持部材９６は、シール部材９５の凹部９８にくい込んで硬化する。そのため、保持部材９６は、一方の端部がファンカバー４３に接着するとともに、他の端部がシール部材９５の凹部９８と噛み合った状態を形成する。これにより、保持部材９６は、シール部材９５との接着力が小さくても、シール部材９５をファンカバー４３に保持する。したがって、接着が難しいシール部材９５を用いる場合であっても、別体の保持部材を必要とすることなく、摩擦係数の小さなシール部材９５とファンカバー４３とを確実かつ強固に保持することができる。
【００３０】
また、第１実施形態では、ファン４２の突出筒部７５とファンカバー４３との間は、柔軟で摩擦係数の小さなシール部材９５でシールされる。そのため、シール部材９５は、ファン４２の回転に追従しながら突出筒部７５の寸法的な誤差を吸収する。これにより、ファン４２の突出筒部７５とファンカバー４３との間を経由する空気の循環流の形成は低減される。したがって、送風効率の低下を抑えることができる。
さらに、第１実施形態では、シール部材９５の周方向へ所定の間隔で凹部９８を形成することにより、保持部材９６は周方向において複数の位置でシール部材９５と噛み合う。そのため、保持部材９６は、シール部材９５のファンカバー４３からの脱落を制限するだけでなく、シール部材９５の周方向への回転を制限する。したがって、シール部材９５の移動、およびこれにともなうシール部材９５の摩耗や損傷を低減することができる。
さらに、第１実施形態では、電動送風機１２の送風効率の低下が抑えられるため、この電動送風機１２を備える電気掃除機１０の仕事率をより向上させることができる。
（第２実施形態）
第２実施形態による電動送風機の要部を図１０に示す。
【００３１】
第２実施形態の場合、シール部材９５の凹部１０２は、環状溝である。すなわち、シール部材９５の凹部１０２は、シール部材９５の外周壁９７を周方向へ連続する環状に形成されている。凹部１０２は、第１実施形態と同様にシール部材９５の外周壁９７から内周側へ窪んでいる。また、シール部材９５は、周方向の任意の位置に凹部１０２とシール部材９５の内周側とを接続する空気穴を有していてもよい。このようにシール部材９５の外周壁９７に環状の凹部１０２を形成することにより、保持部材９６は周方向へ全周でシール部材９５と噛み合う。
第２実施形態では、シール部材９５は、周方向において連続する凹部１０２を有している。これにより、保持部材９６は、シール部材９５の外周壁９７において全周でシール部材９５を保持する。したがって、接着が難しいシール部材９５であってもファンカバー４３からの脱落を低減することができる。
【００３２】
（第３実施形態）
第３実施形態による電動送風機の要部を図１１に示す。
第３実施形態の場合、シール部材９５の凹部１０３は、環状溝１０４および切欠溝１０５を有している。環状溝１０４は、第２実施形態と同様にシール部材９５の外周壁９７において周方向へ連続する環状に設けられている。一方、切欠溝１０５は、この周方向へ連続する環状溝１０４からシール部材９５の軸方向へファンカバー４３側へ延びている。硬化前の保持部材９６を塗布すると、保持部材９６は自身の流動性によって環状溝１０４および切欠溝１０５の双方へ流入した後、硬化する。切欠溝１０５において硬化した保持部材９６は、ファンカバー４３から軸方向へ柱状に立ち上がった状態となる。そのため、切欠溝１０５で硬化した保持部材９６は、シール部材９５とファンカバー４３との周方向における相対的な回転を制限する。
【００３３】
第３実施形態では、シール部材９５は、周方向において所定の位置に軸方向へ延び環状溝１０４と接続する切欠溝１０５を有している。これにより、切欠溝１０５において硬化した保持部材９６は、シール部材９５とファンカバー４３との相対的な回転方向に対しほぼ垂直な柱状に形成される。したがって、保持部材９６によりシール部材９５の脱落を防止することができるだけでなく、切欠溝１０５で硬化した保持部材９６によってファンカバー４３とシール部材９５との相対的な回転を制限することができる。
なお、切欠溝１０５は、環状溝１０４からファンカバー４３側へ延びるだけでなく、環状溝１０４からファンカバー４３の反対側へ延びてもよい。すなわち、切欠溝１０５は、シール部材９５の軸方向であれば任意に形成することができる。このように切欠溝１０５をシール部材９５の軸方向へ形成することにより、シール部材９５とファンカバー４３との相対的な回転が制限される。
【００３４】
（その他の実施形態）
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
例えば、複数の実施形態は、それぞれ組み合わせて適用してもよい。具体的には、第３実施形態のシール部材９５の構成に第１実施形態で説明した各種の凹部９８の形状を組み合わせてもよい。
【符号の説明】
【００３５】
図面中、１０は電気掃除機、１２は電動送風機、４１は電動部、４２はファン、４３はファンカバー、７６は空気吸入口、９５はシール部材、９６は保持部材、９７は外周壁、９８、１０２、１０３は凹部、１０４は環状溝、１０５は切欠溝を示す。
【図１】
2012077681.tif 000003
【図２】
2012077681.tif 000004
【図３】
2012077681.tif 000005
【図４】
2012077681.tif 000006
【図５】
2012077681.tif 000007
【図６】
2012077681.tif 000008
【図７】
2012077681.tif 000009
【図８】
2012077681.tif 000010
【図９】
2012077681.tif 000011
【図１０】
2012077681.tif 000012
【図１１】
2012077681.tif 000013